(57)【要約】【課題】電源線間に雷サージ等の過渡的な電圧が印加されたとしても整流器が破壊されない電源装置および照明器具を提供する。【解決手段】電源装置１０および照明器具１は、交流電源を整流する整流器ＤＢと、整流器ＤＢの出力をスイッチング素子Ｑ１のオンオフでインダクタＬ１に蓄積するエネルギを利用して昇圧された所望の電圧を得る昇圧チョッパ回路１４と、整流器ＤＢと昇圧チョッパ回路１４との間に挿入された限流要素Ｚとを備え、限流要素Ｚに並列にスイッチング素子Ｑ１が接続され、スイッチング素子Ｑ１は、昇圧チョッパ回路１４の出力から帰還された第１駆動回路１１と、整流器ＤＢの出力電圧が通常時よりも高い所定値以上となるとオン信号を発生する第２駆動回路１３とにより駆動される。【選択図】図１
2011244565.tif 000002
【特許請求の範囲】
【請求項１】
交流電源を整流する整流器と、
前記整流器の出力をスイッチング素子のオンオフでインダクタに蓄積するエネルギを利用して昇圧された所望の電圧を得る昇圧チョッパ回路と、
前記整流器と前記昇圧チョッパ回路との間に挿入された限流要素とを備え、
前記限流要素に並列に前記スイッチング素子が接続され、
前記スイッチング素子は、前記昇圧チョッパ回路の出力から帰還された第１駆動回路と、前記整流器の出力電圧が通常時よりも高い所定値以上となるとオン信号を発生する第２駆動回路とにより駆動される電源装置。
【請求項２】
請求項１に記載の電源装置において、
前記整流器と前記昇圧チョッパ回路との間に挿入された限流要素に並列に接続されたスイッチング素子は、前記昇圧チョッパ回路のグランドと前記整流器陰極側との間に挿入され、
前記第２駆動回路は、前記整流器の出力電圧を分圧した電圧が所定値以上となった場合に前記スイッチング素子をオンさせるオン信号を発生する電源装置。
【請求項３】
請求項１または請求項２に記載の電源装置において、
前記第２駆動回路は、前記限流要素に発生する電圧が所定値以上となるとオン信号を発生し、前記昇圧チョッパ回路の出力電圧が所定値以下の状態ではオン信号を発生させない電源装置。
【請求項４】
請求項１ないし請求項３のいずれかに記載の電源装置を具備した照明器具。
【発明の詳細な説明】
【技術分野】
【０００１】
本発明は、整流された交流電源を負荷に供給する電源装置および照明器具に関する。
【背景技術】
【０００２】
従来により昇圧チョッパ回路のインダクタの２次巻線からスイッチング素子をオンとする駆動信号を与えるようにした電源装置および照明器具が知られている（例えば、特許文献１参照）。
図６に示すように、特許文献１に記載された電源装置１００および照明器具２００は、交流電源ＡＣを全波整流して得られる脈流電源を含む直流電源を生成するダイオードブリッジ（整流器）ＤＢと、直流電源の電圧を昇圧し昇圧動作のためにエネルギを蓄積するインダクタとして１次巻線と同一極性に巻装された２次巻線を有するトランスＬ１を用いた昇圧チョッパ回路１０１と、直流電源と昇圧チョッパ回路１０１間に挿入された限流要素Ｚと、この限流要素Ｚに並列に接続されたスイッチング素子Ｑ１とを備え、昇圧チョッパ回路１０１のトランスＬ１の２次巻線からスイッチング素子Ｑ１をオンとする駆動信号を与えるようにしてある。
【０００３】
電源装置１００および照明器具２００は、ダイオードブリッジＤＢの出力を昇圧チョッパ回路１０１に供給する経路、具体的にはダイオードブリッジＤＢの正極側の出力ラインに、電源投入時の突入電流（inrush current）を抑制するための限流要素Ｚが挿入されている。この限流要素Ｚの両端には、電源投入時から一定時間の経過後に限流要素Ｚの両端を短絡するスイッチング素子Ｑ１が接続され、昇圧チョッパ回路１０１が動作している間はスイッチング素子Ｑ１をオンとするようにスイッチング素子Ｑ１のオンまたはオフの制御を、昇圧チョッパ回路１０１のトランスＬ１の２次巻線に発生する電圧を用いて行っている。
【先行技術文献】
【特許文献】
【０００４】
【特許文献１】特開平７−１４７７７０号公報（図１、段落番号００１２、００１３、００１４）
【発明の概要】
【発明が解決しようとする課題】
【０００５】
ところが、前述した特許文献１に記載された電源装置１００および照明器具２００は、雷サージ等の過渡的な電圧が印加された場合においても、スイッチング素子Ｑ１は昇圧チョッパ回路１０１の動作中は常時オン状態が期待される。しかし、前述した特許文献１に記載された電源装置１００および照明器具２００は、過渡現象発生時においてダイオードブリッジＤＢの出力電圧が上昇すると、昇圧チョッパ回路１０１はチョッパ入力電圧＞チョッパ出力電圧となり、昇圧チョッパ回路１０１は動作を止めるように動作し、スイッチＳＷ１はオンデューティーの小さなオン動作もしくは間欠的なオン動作となり、スイッチＳＷ１に期待されるオン動作が行われなくなって、トランスＬ１のエネルギが減少するために、昇圧チョッパ回路１０１から帰還された駆動回路のオン信号が発生せずに、スイッチング素子Ｑ１がオフとなり、限流要素Ｚに電位差が発生し、その結果、ダイオードブリッジＤＢの出力両端に最大定格値を超えた電圧が発生してダイオードブリッジＤＢが破壊しかねない。
【０００６】
本発明は、前述した課題を解決するためになされたものであり、その目的は、電源線間に雷サージ等の過渡的な電圧が印加されたとしても整流器が破壊されない電源装置および照明器具を提供することにある。
【課題を解決するための手段】
【０００７】
本発明に係る電源装置は、交流電源を整流する整流器と、整流器の出力をスイッチング素子のオンオフでインダクタに蓄積するエネルギを利用して昇圧された所望の電圧を得る昇圧チョッパ回路と、整流器と昇圧チョッパ回路との間に挿入された限流要素とを備え、限流要素に並列にスイッチング素子が接続され、スイッチング素子は、昇圧チョッパ回路の出力から帰還された第１駆動回路と、整流器の出力電圧が通常時よりも高い所定値以上となるとオン信号を発生する第２駆動回路とにより駆動される。
【０００８】
本発明に係る電源装置は、整流器と昇圧チョッパ回路との間に挿入された限流要素に並列に接続されたスイッチング素子は、昇圧チョッパ回路のグランドと整流器陰極側との間に挿入され、第２駆動回路は、整流器の出力電圧を分圧した電圧が所定値以上となった場合にスイッチング素子をオンさせるオン信号を発生する。
【０００９】
本発明に係る電源装置は、第２駆動回路は、限流要素に発生する電圧が所定値以上となるとオン信号を発生し、昇圧チョッパ回路の出力電圧が所定値以下の状態ではオン信号を発生させない。
【００１０】
本発明に係る照明器具は、電源装置を具備した。
【発明の効果】
【００１１】
本発明の電源装置および照明器具によれば、電源線間に雷サージ等の過渡的な電圧が印加されたとしても整流器が破壊されないという効果を奏する。
【図面の簡単な説明】
【００１２】
【図１】本発明に係る第１実施形態の電源装置および照明器具の回路構成図
【図２】本発明に係る第２実施形態の電源装置および照明器具の回路構成図
【図３】本発明に係る第３実施形態の電源装置および照明器具の回路構成図
【図４】本発明に係る第４実施形態の電源装置および照明器具の回路構成図
【図５】本発明に係る第５実施形態の電源装置および照明器具の回路構成図
【図６】従来の電源装置および照明器具の回路構成図
【発明を実施するための形態】
【００１３】
以下、本発明の複数の実施形態に係る電源装置および照明器具について図面を参照して説明する。
（第１実施形態）
図１に示すように、本発明の第１実施形態である照明器具１に適用される電源装置１０は、主として、交流電源ＡＣを全波整流するダイオードブリッジＤＢと、サイリスタである第１スイッチング素子Ｑ１と、限流要素Ｚと、第３スイッチング素子Ｑ３、コンデンサＣ２、コンデンサＣ４、抵抗Ｒ４、ダイオードＤ２、ダイオードＤ３、昇圧チョッパ回路１４のインダクタである第１トランス（高周波トランス）Ｌ１の２次巻線からなる第１駆動回路１１と、抵抗Ｒ２、抵抗Ｒ３からなり、トリガー回路である分圧回路１２と、第２スイッチング素子Ｑ２、コンデンサＣ３からなる第２駆動回路１３と、インダクタである第１トランスＬ１の１次巻線と、スイッチ要素ＳＷ１と、ダイオードＤ１と、コンデンサ（電解コンデンサ）Ｃ１とからなり、ダイオードブリッジＤＢの出力を昇圧した直流電圧に変換する昇圧チョッパ回路１４とで構成されており、昇圧チョッパ回路１４の出力を負荷２に供給するようにしてある。
【００１４】
昇圧チョッパ回路１４は、スイッチ要素ＳＷ１のオン時に、第１トランスＬ１にエネルギを蓄積する。これとは異なり、昇圧チョッパ回路１４は、スイッチ要素ＳＷ１のオフ時に、第１トランスＬ１に蓄積されたエネルギによる電圧をダイオードブリッジＤＢの出力電圧に加えた電圧で、ダイオードＤ１を介してコンデンサＣ１を充電し、コンデンサＣ１の両端に、昇圧された直流電圧を発生させる。
【００１５】
そして、ダイオードブリッジＤＢの出力を昇圧チョッパ回路１４に供給する経路、具体的にはダイオードブリッジＤＢの正極側の出力ラインに、電源投入時の突入電流を抑制する限流要素Ｚが挿入されている。この限流要素Ｚの両端に、電源投入時から一定時間の経過後に限流要素Ｚの両端を短絡するための第１スイッチング素子Ｑ１が接続されている。第１スイッチング素子Ｑ１は、アノードがダイオードブリッジＤＢの正極側に、ゲートが第３スイッチング素子Ｑ３のコレクタに、カソードがコンデンサＣ２、コンデンサＣ４を介して第１トランスＬ１の１次巻線に接続されている。第１スイッチング素子Ｑ１のオンまたはオフの制御は、昇圧チョッパ回路１４の第１トランスＬ１に発生する電圧を用いて行い、昇圧チョッパ動作中はオン、昇圧チョッパ不動作中はオフするようにしてある。
【００１６】
ダイオードブリッジＤＢの出力側の両端には、交流電源ＡＣが全波整流された電圧を所望の電圧に分圧するための分圧回路１２を構成する抵抗Ｒ２、抵抗Ｒ３が接続され、抵抗Ｒ２と抵抗Ｒ３との接続点にコンデンサＣ３を介して第２駆動回路１３の第２スイッチング素子Ｑ２のベースが接続されている。
【００１７】
そして、第２駆動回路１３の第２スイッチング素子Ｑ２のコレクタに第１駆動回路１１の第３スイッチング素子Ｑ３のベースが接続されている。第３スイッチング素子Ｑ３は、エミッタが抵抗Ｒ４、ダイオードＤ３を介して定電流源１５に接続されている。第３スイッチング素子Ｑ３は、ダイオードブリッジＤＢの出力電圧が所定値以上になった場合に第２スイッチング素子Ｑ２がオンされるのに伴ってオンされ、定電流源１５から第１スイッチング素子Ｑ１のゲートに第１スイッチング素子Ｑ１をオンさせるための信号を発する。
【００１８】
第１スイッチング素子Ｑ１は、第２駆動回路１３のコンデンサＣ３の容量を第１駆動回路１１のコンデンサＣ２の容量よりも十分に大きなものとすることにより、保持電流でのオン状態でなくなった場合でもオンすることが可能となり、オフすることを回避できるために、雷サージ等の過渡的な電圧が印加された場合の過渡状態時においてもダイオードブリッジＤＢに過大な電圧が印加されることを防止し、ダイオードブリッジＤＢの破壊を回避できる。なお、第１スイッチング素子Ｑ１は、サイリスタに代えて、ＭＯＳＦＥＴ、トランジスタ等の半導体素子を適用することもできる。
【００１９】
従って、この第１実施形態の電源装置１０においては、昇圧チョッパ回路１４の第１トランスＬ１のエネルギを用いて第１スイッチング素子Ｑ１をオンとすることに加え、第１スイッチング素子Ｑ１をオンさせるための分圧回路１２および第２駆動回路１３を有するために、ダイオードブリッジＤＢの出力電圧が所定値以上となって第１トランスＬ１のエネルギが第１スイッチング素子Ｑ１をオンさせるほど十分でなくなった場合においても、第１スイッチング素子Ｑ１をオン信号により確実にオンさせて、限流要素Ｚへの通電を抑制し、限流要素Ｚでの電圧上昇を抑制できる。
これにより、この第１実施形態の電源装置１０においては、雷サージ等の過渡的な電圧が印加された場合においても、ダイオードブリッジＤＢに過電圧が印加されることがないので、ダイオードブリッジＤＢが破壊されない。
【００２０】
また、この第１実施形態の電源装置１０においては、第２駆動回路１３は、限流要素Ｚに発生する電圧が所定値以上となるとオン信号を発生し、昇圧チョッパ回路１４の出力電圧が所定値以下の状態では第２駆動回路１３のオン信号を発生させない。
これにより、この第２実施形態の電源装置１０においては、第１スイッチング素子Ｑ１のオンを確実に保障することができる。
【００２１】
加えて、この第１実施形態の照明器具１においては、雷サージ等の過渡的な電圧が印加された場合においても、電源装置１０のダイオードブリッジＤＢに過電圧が印加されることがないので、電源装置１０が破壊されない照明器具１を提供できる。
【００２２】
（第２実施形態）
次に、本発明の第２実施形態の電源装置および照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００２３】
図２に示すように、本発明の第２実施形態の照明器具３に適用される電源装置２０は、ダイオードブリッジＤＢと、サイリスタである第１スイッチング素子Ｑ１と、限流要素Ｚと、抵抗Ｒ３、コンデンサＣ２、ダイオードＤ２、昇圧チョッパ回路１４の第１トランスＬ１の２次巻線からなる第１駆動回路２１と、定電圧ダイオード（ツェナーダイオード）ＺＤ１、抵抗Ｒ２、抵抗Ｒ３、コンデンサＣ３からなる検出回路２２と、昇圧チョッパ回路１４とで構成されている。
【００２４】
検出回路２２は、第１スイッチング素子Ｑ１に並列接続された限流要素Ｚの両端電圧をモニタしている。検出回路２２は、ダイオードブリッジＤＢの出力側電位が上昇する過渡現象時において、スイッチ要素ＳＷ１がオフされることにより第１トランスＬ１のエネルギが減少し、第１トランスＬ１の２次巻線を含む第１駆動回路２１による第１スイッチング素子Ｑ１へのオン信号がなくなった場合においても、限流要素Ｚに発生した電位差により、定電圧ダイオードＺＤ１がオンし続けて、抵抗Ｒ２、抵抗Ｒ３で分圧された電圧によりダイオードＤ３がオンする。
【００２５】
検出回路２２は、第１駆動回路２１のコンデンサＣ２の放電による第１スイッチング素子Ｑ１の保持電流に関係なく、限流要素Ｚの両端電圧が上昇することにより駆動されるために、コンデンサＣ３の容量をコンデンサＣ２よりも大きくする必要がない。
【００２６】
従って、この第２実施形態の電源装置２０および照明器具３においては、ダイオードブリッジＤＢの出力電圧をモニタし、過渡現象時において検出回路２２により第１スイッチング素子Ｑ１のオン状態が保持される。
これにより、この第２実施形態の電源装置２０および照明器具３においては、雷サージ等の過渡的な電圧が印加された場合においても、ダイオードブリッジＤＢに過電圧が印加されることがないので、ダイオードブリッジＤＢが破壊されない。
【００２７】
（第３実施形態）
次に、本発明の第３実施形態の電源装置および照明器具について説明する。
図３に示すように、本発明の第３実施形態の照明器具４に適用される電源装置３０は、ダイオードブリッジＤＢと、スイッチである第１スイッチング素子Ｑ１と、限流要素Ｚと、抵抗Ｒ４、コンデンサＣ２、ダイオードＤ２、ダイオードＤ３、昇圧チョッパ回路１４の第１トランスＬ１の２次巻線、第２駆動回路３２の第２トランスＬ２の１次巻線からなる第１駆動回路３１と、ダイオードブリッジＤＢの出力電圧を分圧する抵抗Ｒ２、抵抗Ｒ３、分圧された電圧が所定値以上になるとオンする定電圧ダイオードＺＤ１、定電圧ダイオードＺＤ１を介して流れる電流により振動を行う第２トランスＬ２の１次巻線と、コンデンサＣ３とからなる第２駆動回路３２と、昇圧チョッパ回路１４とで構成されている。
【００２８】
第２駆動回路３２は、ダイオードブリッジＤＢの出力電圧を分圧し、分圧後の電圧を、定電圧ダイオードＺＤ１を介して第２トランスＬ２の１次巻線に与える。第２トランスＬ２の１次巻線の他端はコンデンサＣ３に接続されているために、雷サージ等の過渡的な電圧が印加された場合の単パルス状に発生する過渡現象に対して、第２トランスＬ２の振動により第２駆動回路３２が単発にならないようしている。
過渡現象時には、第２トランスＬ２の１次巻線により励起された電圧が第２トランスＬ２の２次巻線に発生するために、第１スイッチング素子Ｑ１にオン信号が与えられる。そのため、昇圧チョッパ回路１４の出力から帰還された第１駆動回路３１により第１スイッチング素子Ｑ１をオンできなくても、第２駆動回路３２により第１スイッチング素子Ｑ１をオンさせて保持できる。
【００２９】
従って、この第３実施形態の電源装置３０および照明器具４においては、過渡現象時には、第２トランスＬ２の１次巻線により励起された電圧が第２トランスＬ２の２次巻線に発生するために、第１スイッチング素子Ｑ１にオン信号が与えられる。
これにより、この第３実施形態の電源装置３０および照明器具４においては、雷サージ等の過渡的な電圧が印加された場合に、昇圧チョッパ回路１４の出力から帰還された第１駆動回路３１により第１スイッチング素子Ｑ１をオンできなくても、第２駆動回路３２により第１スイッチング素子Ｑ１をオンさせて保持することにより、ダイオードブリッジＤＢの破壊を防止できる。
【００３０】
（第４実施形態）
次に、本発明の第４実施形態の電源装置および照明器具について説明する。
図４に示すように、本発明の第４実施形態の照明器具５に適用される電源装置４０は、ダイオードブリッジＤＢと、スイッチである第１スイッチング素子Ｑ１と、限流要素Ｚと、ダイオードＤ３、コンデンサＣ２からなる第１駆動回路４１と、抵抗Ｒ２、抵抗Ｒ３、抵抗Ｒ４、コンデンサＣ３、ダイオードＤ２からなる整流器出力モニタ回路４２と、昇圧チョッパ回路１４とで構成されている。
【００３１】
限流要素Ｚは、昇圧チョッパ回路１４のスイッチ要素ＳＷのグランド側とダイオードブリッジＤＢの陰極側の出力ラインとに挿入されているために、電源投入時の突入電流を抑制する。限流要素Ｚの両端には、電源投入時から一定時間の経過後に限流要素Ｚの両端を短絡するための第１スイッチング素子Ｑ１が接続されている。第１スイッチング素子Ｑ１は、オンまたはオフの制御が、昇圧チョッパ回路１４の第１トランスＬ１に発生する電圧を用いて行われるようになっており、昇圧チョッパ動作中にオン、昇圧チョッパ不動作中にオフするようになっている。
【００３２】
電源装置４０は、交流電源ＡＣにノーマルモードの雷サージのように過渡的な電圧印加があった場合、ダイオードブリッジＤＢの出力に設けられた整流器出力モニタ回路４２により、第１スイッチング素子Ｑ１をオンとし、第１スイッチング素子Ｑ１がオフした場合における限流要素Ｚでの発生電位を抑制できる。
【００３３】
電源装置４０は、抵抗Ｒ２、抵抗Ｒ３の分圧比を、通常点灯時に第１スイッチング素子Ｑ１にオン信号が伝達されないように設定する必要がある。
ここで、第１駆動回路４１のコンデンサＣ２に対し、整流器出力モニタ回路４２のコンデンサＣ３の容量を十分に大きなものとすることにより、サイリスタのように保持電流で動作する半導体素子を使用しても、過渡現象発生時に保持電流によりオンを維持できなくても、整流器出力モニタ回路４２により第１スイッチング素子Ｑ１をオンできる。
電源装置４０は、限流要素Ｚと第１スイッチング素子Ｑ１とを回路内のグランド側に設置することにより、第１スイッチング素子Ｑ１をオンさせるための信号のグランドが回路グランドと共通となって整流器出力モニタ回路４２の構成を簡易化できる。
【００３４】
従って、この第４実施形態の電源装置４０および照明器具５においては、限流要素Ｚが、昇圧チョッパ回路１４のスイッチ要素ＳＷのグランド側とダイオードブリッジＤＢの陰極側の出力ラインとに挿入されており、ダイオードブリッジＤＢの出力電圧を分圧した電圧が所定値以上となった場合に整流器出力モニタ回路４２により第１スイッチング素子Ｑ１をオンさせるオン信号が発生される。
これにより、この第４実施形態の電源装置４０および照明器具５においては、第１スイッチング素子Ｑ１を駆動させる電圧が、電源装置４０のグランドに対する電圧となり、複雑な駆動回路を構成せずに第１のスイッチング素子Ｑ１を駆動できる。
【００３５】
（第５実施形態）
次に、本発明の第５実施形態の電源装置および照明器具について説明する。
図５に示すように、本発明の第５実施形態の照明器具６に適用される電源装置５０は、ダイオードブリッジＤＢと、スイッチである第１スイッチング素子Ｑ１と、限流要素Ｚと、ダイオードＤ３、コンデンサＣ２からなる第１駆動回路５１と、定電圧ダイオードＺＤ１と、抵抗Ｒ２、抵抗Ｒ３、抵抗Ｒ４、コンデンサＣ３、ダイオードＤ２からなる整流器出力モニタ回路５２と、昇圧チョッパ回路１４とで構成されている。
【００３６】
整流器出力モニタ回路５２は、ダイオードブリッジＤＢの出力に設けられた抵抗Ｒ２、抵抗Ｒ３の間に定電圧ダイオードＺＤ１を挿入しているために、ダイオードブリッジＤＢの出力電圧が所定値以上になった時にのみコンデンサＣ３が充電され、ダイオードＤ２を介して第１スイッチング素子Ｑ１がオンされる。
【００３７】
電源装置５０は、整流器出力モニタ回路５２に定電圧ダイオードＺＤ１が挿入されることにより、整流器出力モニタ回路５２の動作を、より正確に調整できる。
第１スイッチング素子Ｑ１にサイリスタを使用する場合、コンデンサＣ２に対してコンデンサＣ３の容量を十分に大きくすることにより、保持電流でのオンができなくなってからもコンデンサＣ３からの放電電流により第１スイッチング素子Ｑ１をオンし続けることができる。
電源装置５０は、ダイオードブリッジＤＢの出力電圧が所定値以下であれば、整流器出力モニタ回路５２に流れる電流がほぼゼロのために、通常点灯時の電力損失を低減できる。
【００３８】
従って、この第５実施形態の電源装置５０および照明器具６においては、電源装置５０の整流器出力モニタ回路５２に定電圧ダイオードＺＤ１が挿入される。
これにより、この第５実施形態の電源装置５０および照明器具６においては、整流器出力モニタ回路５２の動作を、より正確に調整できるとともに、ダイオードブリッジＤＢの出力電圧が所定値以下であれば、整流器出力モニタ回路５２に流れる電流がほぼゼロのために、通常点灯時の電力損失を低減できる。
【００３９】
なお、第１実施形態、第２実施形態、第３実施形態、第４実施形態、第５実施形態で使用したダイオードブリッジ、負荷等は例示したものに限定するものではなく適宜変更が可能である。
【符号の説明】
【００４０】
１、３、４、５、６  照明器具
１０、２０、３０、４０、５０  電源装置
１１、２１、３１、４１、５１  第１駆動回路
１３、３２  第２駆動回路
１４  昇圧チョッパ回路
２２  検出回路（第２駆動回路）
４２、５２  整流器出力モニタ回路（第２駆動回路）
ＤＢ  ダイオードブリッジ（整流器）
Ｌ１  第１トランス（インダクタ）
Ｑ１  第１スイッチング素子（スイッチング素子）
Ｚ  限流要素
【図１】
2011244565.tif 000003
【図２】
2011244565.tif 000004
【図３】
2011244565.tif 000005
【図４】
2011244565.tif 000006
【図５】
2011244565.tif 000007
【図６】
2011244565.tif 000008